(57)【要約】      （修正有）【課題】備長炭の複合めがねフレームの構造を提供する。【解決手段】主にフレーム部１０とテンプル部２０を含む備長炭の複合めがねフレームの構造である。テンプル部２０はフレーム部１０と接続し、フレーム部１０とテンプル部２０に備長炭の顆粒３０を混合した高分子材料で形成する構造である。該備長炭の複合めがねフレームは、備長炭のヘルスケア効果を十分に発揮することができ、且つ構造がシンプルである。備長炭を具有する高分子複合材料を使った構造設計により、十分に備長炭が具有するヘルス効果を発揮することができ、遠赤外線を放ち、及び電磁波を遮断する効果のほか、マイナスイオンを発生することができるなど、素晴らしい目のケアとプロテクトの効果を得ることができる。【選択図】図１
0003181941.tif 000002
【実用新案登録請求の範囲】
【請求項１】
フレーム部とテンプル部を含み、
前記テンプル部は前記フレーム部と接続し、
前記フレーム部と前記テンプル部に備長炭の顆粒を混合した高分子材料で形成する構造であることを特徴とする備長炭の複合めがねフレームの構造。
【請求項２】
前記フレーム部は、本体内に一つのサポートフレームを具有し、該本体内のサポートフレームと前記テンプル部は、表面に備長炭の顆を混合した高分子材料で覆う外層を具有することを特徴とする請求項１記載の備長炭の複合めがねフレームの構造。
【請求項３】
前記備長炭の顆粒を前記フレーム部と前記テンプル部の表層に吸着設置することを特徴とする請求項１記載の備長炭の複合めがねフレームの構造。
【請求項４】
前記フレーム部と前記テンプル部の外層に、備長炭の顆粒を混合した高分子材料の塗布層を設置することを特徴とする請求項１記載の備長炭の複合めがねフレームの構造。
【請求項５】
前記備長炭の顆粒を粉末状にし、高分子材料と一体成形で設置することを特徴とする請求項１記載の備長炭の複合めがねフレームの構造。
【考案の詳細な説明】
【技術分野】
【０００１】
本考案は日用品に属し、特に備長炭の顆粒を含んだめがねフレームの構造に関する。
【背景技術】
【０００２】
電子製品の普及及び作業環境のニーズにより、めがねをつける、或いは近視による視力矯正のためにめがねをつける人がますます多くなっている。現在様々なめがねに使われるめがねフレームの構造は多様化している。高分子複合材料を使った一体成形の構造や、金属の骨組みを高分子材料で覆う構造や、様々な異なる材質を組み合わせて接続した構造などがある。しかし、健康及び目のプロテクトを共に考慮しためがねフレームは未だ案出していない。
【０００３】
備長炭は硬度の高いウバメガシ、アラガシと孟宗竹及び、日本伝統の焼成技術と工芸焼き方法で作られた木炭製品である。電磁波を遮断する効果があるほか、マイナスイオンと遠赤外線を放つ素晴らしいヘルスケアの役割を持つ。
【先行技術文献】
【特許文献】
【０００４】
【特許文献１】特開２００４−１７７９０８号公報
【考案の概要】
【考案が解決しようとする課題】
【０００５】
前記公知構造の欠点を解決するため、本考案は備長炭の顆粒の効果を発揮し、且つ構造がシンプルな備長炭の複合めがねフレームの構造を提供することを主な課題とする。備長炭と高分子材料を組み合わせた構造設計により、十分に備長炭が具有する電磁波を遮断し、遠赤外線を放つ効果を発揮し、更にマイナスイオンを発生するなど、最適な目のケアとプロテクトの効果を持つ。
【課題を解決するための手段】
【０００６】
上述の目的を解決するために、本考案は備長炭複合めがねフレームの構造を提供するものである。本考案の備長炭複合めがねフレームはフレーム部とテンプル部を含み、テンプル部はフレーム部と接続し、フレーム部とテンプル部に備長炭の顆粒を混合した高分子材料で形成する構造である。
【０００７】
第一実施例では、フレーム部は、本体内に一つのサポートフレームを具有し、該本体内のサポートフレームとテンプル部は、表面に備長炭の顆粒を混合した高分子材料で覆う外層を具有する。
【０００８】
第二実施例では、備長炭の顆粒をフレーム部とテンプル部の表層に吸着設置する。
【０００９】
第三実施例では、フレーム部とテンプル部の外層に、備長炭の顆粒を混合した高分子材料の塗布層を設置する。
【００１０】
第四実施例では、備長炭の顆粒を粉末状にし、高分子材料と一体成形で設置する。
【００１１】
該備長炭の複合めがねフレームのメイン部分であるフレーム部とテンプル部は、いずれも備長炭の顆粒を混合した高分子材料を使った構造にすることができる。具体的な応用として、備長炭を高分子材料と混合して一体成形でフレーム部或いはテンプル部を形成する。更に内部に金属サポート本体を骨組みとした本体サポートフレームを具有し、外部に備長炭の顆粒を混合した高分子材料を塗布した構造にすることができる。また、高分子或いは金属フレーム部或いはテンプル部の外表面にスプレーやコーティングの方法により、外表面に備長炭の顆粒を混合した高分子材料の外層を覆うこともできる。当該使用する備長炭は、市販の備長炭の粉末顆粒物である。備長炭は電磁波を遮断する効果を具有し、現在の研究で分かったことは、ガンの発生は多かれ少なかれ電磁波と関係があると考えられている。日本の学者の研究によると、備長炭は高温で焼成し、素晴らしい導体であり、金属プレートと同等或いはそれ以上の遮断効果を具有し、最適で最も軽い電磁波遮断材質である。携帯、コンピューター、テレビ、電子レンジなどの電磁波を長時間累積すると、体の健康を著しく脅かすことになる。家電製品の周り及び携帯に備長炭を置くと、有効的に電磁波を遮断して人体にダメージを加えるのを避けることができる。備長炭はマイナスイオンを出すこともできる。大自然の空気が清々しく感じるのは、豊富なマイナスイオンが含まれているからであり、備長炭は最も天然な空気清浄機となる。マイナスイオンを発生し、ストレスの軽減や緊張をほぐすことができる。また、備長炭は遠赤外線を放つことができる。備長炭を手に持つと、暖かいと感じるのは、遠赤外線を出している証拠である。食物が均等に熱を受けるのを助け、食材の味をしっかり保つと同時に、遠赤外線により体が温かく感じ、まばたきを助け、血液の循環を促進する。備長炭を融合しためがねフレームは自ずと上記の健康作用を具有すると同時に、備長炭の複合めがねフレームの製造は簡単で、構造が合理的であり、めがねフレームの強度を保つと同時に、目を守り、ヘルスケアを実現することができる。
【考案の効果】
【００１２】
本考案の効果とは、備長炭の複合めがねフレームが、備長炭のヘルスケアの効果を十分に発揮し、且つ構造がシンプルであること。備長炭を具有する高分子複合材料を用いた構造設計であり、十分に備長炭の持つヘルスケア効果を発揮するほか、マイナスイオンを発生し、最適な目のケアとプロテクトの効果を得ることができる。
【図面の簡単な説明】
【００１３】
【図１】本考案における構造略図である。
【考案を実施するための形態】
【００１４】
図１に示すように、備長炭の複合めがねフレームに含まれるのはフレーム部１０とテンプル部２０である。テンプル部はフレーム部と接続し、フレーム部とテンプル部に備長炭の顆粒３０を混合した高分子材料で形成する構造である。該フレーム部は一つの本体内のサポートフレームを具有し、該本体内のサポートフレームとテンプル部は、表面に備長炭の顆粒を混合した高分子材料で覆う外層を具有する。具体的な応用として、備長炭の顆粒はフレーム部とテンプル部の表層にある高分子複合材料の中に吸着設置することができる。別の実施例では、フレーム部とテンプル部の外層は、備長炭の顆粒を混合した高分子材料の塗布層を設置することができる。前記備長炭の顆粒は粉末状の備長炭とし、高分子材料と一体成形して設置する。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１０  フレーム部
２０  テンプル部  
３０  備長炭の顆粒
【図１】
0003181941.tif 000003